(57)【特許請求の範囲】
【請求項１】
主検出リレー用の複数のリレー要素と、このリレー要素と対応した複数の要素を有してソフト的に要素が選択される要素選択部、及びこの要素選択部の出力と主検出強制動作スイッチの動作信号とを主検出用の論理積回路に導入して論理積信号を得、この論理積信号と前記主検出リレー用の各リレー要素の出力信号とを主検出用の論理和回路に導入し、この論理和回路を介して得られた論理和信号をそれぞれ主検出用のシーケンス論理回路に導入し、このシーケンス論理回路の出力を遮断器のトリップコイルと直列に接続された第１のリレーに出力してオン動作させる主検出リレーと、
事故検出用の複数のリレー要素と、このリレー要素と対応した強制動作の要素選択部を有し、この強制動作の動作信号と事故検出用の各リレー要素の出力信号とをそれぞれ事故検出用の論理和回路を介して事故検出用のシーケンス論理回路に導入し、このシーケンス論理回路の出力を遮断器のトリップコイルと直列に接続された第２のリレーに出力してオン動作させる事故検出リレーとを有したディジタルリレーにおいて、
前記要素選択部の要素数を主検出リレー用の要素数と事故検出リレー用のリレー要素数とを合わせ持たせると共に、主検出リレーと事故検出リレー間に伝送手段を設け、且つ、前記事故検出リレーに事故検出用の論理積回路を設け、この事故検出用の論理積回路の一方の入力端に前記要素選択部によって選択された要素信号を伝送手段を介して導入し、事故検出用の論理積回路の他方の入力端には事故検出強制動作スイッチの動作信号を導入し、この論理積回路の出力信号を前記事故検出リレー用のシーケンス論理回路に出力するよう構成したことを特徴としたディジタルリレーの強制動作入力方式。
【発明の詳細な説明】
【０００１】
【発明の属する技術分野】
本発明は、ディジタルリレーの強制動作入力方式に関するものである。
【０００２】
【従来の技術】
従来、ディジタルリレー（保護継電器）は、図２，図３に示すように、主検出リレー１と事故検出リレー２がある。それぞれのリレー１，２は独立している。リレー１，２が出力するとリレーＲＹ１，ＲＹ２が付勢され、その接点ｒｙ１，ｒｙ２が共にＯＮすると、遮断器のトリップコイル３が付勢されて系統を保護する。
【０００３】
１１は主検出リレー演算を行う複数のリレー要素１〜ｍ（１１1〜１１m）、１２はリレー演算に必要な地絡電流検出要素，過電流検出要素などの複数のリレー要素１〜ｍ（１２1〜１２m）をソフト的に選択する主検出側に設けられたリレーの要素選択部、ＳＷMは主検出リレー強制動作用操作スイッチ（例、プッシュボタンスイッチ）、１４（１４1〜１４m）は要素選択部１２から要素選択情報があることを条件にスイッチＳＷMから信号が入力すると強制動作信号を出力する論理積回路、１５（１５1〜１５m）は要素選択部１２で選択されたリレー要素１２1〜１２mに対応するリレー要素１１1〜１１mからの出力と、上記強制動作信号を通す論理和回路、１６は遮断器が投入されていることを条件に論理和回路１５（１５1〜１５m）からの信号によってリレーＲＹ１を付勢するシーケンス論理回路である。
【０００４】
２１は事故検出リレー演算をする複数のリレー要素１〜１ｎ（２１１〜２１ｎ）、ＳＷ１〜ＳＷｎは事故検出側に設けられた事故検出強制動作用操作スイッチ（例、プッシュボタンスイッチ）、２５（２５１〜２５ｎ）はリレー要素２１（２１１〜２１ｎ）からの出力とスイッチＳＷ１〜ＳＷｎからの信号を通す論理和回路、２６は遮断器が投入されていることを条件に論理和回路２５（２５１〜２５ｎ）からの信号によってリレーＲＹ２を付勢するシーケンス論理回路である。
【０００５】
しかして、この主検出リレー１側の強制動作は、ソフト的に要素選択を行うことによってスイッチＳＷＭをＯＮすることでできる。
【０００６】
また、事故検出リレー２側の強制動作は、必要な要素数だけスイッチＳＷ１〜ＳＷｎを選択することで、要素選択して行っている。
【０００７】
【発明が解決しようとする課題】
ところで、上記従来のものは、次のような問題がある。
【０００８】
（１）強制動作入力を主検出側，事故検出側からそれぞれ行わなければならない。
【０００９】
（２）事故検出側は要素数に応じたスイッチが必要となる。
【００１０】
（３）要素数に合わせて、個別に事故検出リレーボードを設計しなければいけない。つまり、事故検出リレーボードが標準化できない。
【００１１】
本発明は、従来のこのような問題点に鑑みてなされたものであり、その目的とするところは、事故検出側の要素選択を不要とし、事故検出リレーボードの標準化が計れる、ディジタルリレーの強制動作入力方式を提供することにある。
【００１２】
【課題を解決するための手段】
本発明は、主検出リレー用の複数のリレー要素と、このリレー要素と対応した複数の要素を有してソフト的に要素が選択される要素選択部、及びこの要素選択部の出力と主検出強制動作スイッチの動作信号とを主検出用の論理積回路に導入して論理積信号を得、この論理積信号と前記主検出リレー用の各リレー要素の出力信号とを主検出用の論理和回路に導入し、この論理和回路を介して得られた論理和信号をそれぞれ主検出用のシーケンス論理回路に導入し、このシーケンス論理回路の出力を遮断器のトリップコイルと直列に接続された第１のリレーに出力してオン動作させる主検出リレーと、
事故検出用の複数のリレー要素と、このリレー要素と対応した強制動作の要素選択部を有し、この強制動作の動作信号と事故検出用の各リレー要素の出力信号とをそれぞれ事故検出用の論理和回路を介して事故検出用のシーケンス論理回路に導入し、このシーケンス論理回路の出力を遮断器のトリップコイルと直列に接続された第２のリレーに出力してオン動作させる事故検出リレーとを有したディジタルリレーにおいて、
前記要素選択部の要素数を主検出リレー用の要素数と事故検出リレー用のリレー要素数とを合わせ持たせると共に、主検出リレーと事故検出リレー間に伝送手段を設け、且つ、前記事故検出リレーに事故検出用の論理積回路を設け、この事故検出用の論理積回路の一方の入力端に前記要素選択部によって選択された要素信号を伝送手段を介して導入し、事故検出用の論理積回路の他方の入力端には事故検出強制動作スイッチの動作信号を導入し、この論理積回路の出力信号を前記事故検出リレー用のシーケンス論理回路に出力するよう構成したことを特徴としたものである。
【００１３】
【発明の実施の形態】
本発明の実施の形態を図１について説明する。なお、図中従来図２に示したものと同一構成部分は、同一符号を付してその重複する説明を省略する。
【００１４】
１２′は主検出側に設けられた要素選択部で、従来主検出側で行っているソフト的なｍ個の要素選択に合わせて事故検出側のｎ個の要素選択も適用できるよう要素選択部の要素数は要素ｍ＋１〜要素ｍ＋ｎ個にしてあり、要素選択情報を主検出リレー側に出力する。
【００１５】
１３は要素選択部１２′からの要素１〜ｎの要素選択情報をシリアル伝送バスＢを介して事故検出リレー側にシリアル伝送する送信部、２３は伝送路Ｂからの要素選択情報を受けて出力する受信部である。
【００１６】
ＳＷＭおよびＳＷＦはそれぞれ主検出および事故検出強制動作用のスイッチ、１４は要素選択部１２′からの要素１〜ｍの要素選択情報があることを条件にスイッチＳＷＭの信号が入力すると論理和回路１５に出力する論理積回路である。２４は伝送部２３から要素選択情報があることを条件に論理和回路２５に出力する論理積回路である。その他の構成は従来図１と変わりがない。
【００１７】
以上のように構成されているので、スイッチＳＷＭを押すと、要素選択情報があることを条件に論理回路１４，１５，１６を介して主検出リレーが強制動作出力してリレーＲＹ１が付勢される。
【００１８】
また、スイッチＳＷＦを押すと、要素選択情報１〜ｎがあることを条件に論理回路２４，２５，２６を介して事故検出リレーが強制動作出力してリレーＲＹ２が付勢される。
【００１９】
したがってスイッチＳＷＭおよびＳＷＦを押してリレーＲＹ１，ＲＹ２が共に付勢されると、接点ｒｙ１，ｒｙ２を介してトリップコイル３が付勢され、遮断器がトリップする。
【００２０】
【発明の効果】
本発明は、上述のとおり構成されているので、次に記載する効果を奏する。
【００２１】
（１）事故検出側の複数のスイッチからなる要素選択手段が不要となる。
【００２２】
（２）そのため、要素数に基づく個別のボード設計は、主検出側は勿論のこと、事故検出側も不要となる。しかして事故検出リレーボードの標準化が計られる。
【図面の簡単な説明】
【図１】実施の形態にかかるリレー構成説明図。
【図２】従来例にかかるリレー構成説明図。
【図３】従来例の詳細を示すブロック図。
【符号の説明】
１…主検出リレー
２…事故検出リレー
３…トリップコイル
１１，２１…リレー要素
１２，１２′…要素選択部
１３…送信部
２３…受信部
Ｂ…伝送回路
ＳＷＭ，ＳＷＦ，ＳＷ１〜ＳＷｍ…強制動作用操作スイッチ。
【図１】
0003584604.tif 000002
【図２】
0003584604.tif 000003
【図３】
0003584604.tif 000004